(57)【要約】      （修正有）【課題】復調された音声信号からのノイズまたはアーテファクトを軽減または排除する。【解決手段】ＦＭ復調器３０４は、信号を復調し、音声信号３０６を生成する。搬送波信号エネルギー検出器３０８は、受信されたＩＦ信号３０２のエネルギーレベルを監視する。比較器３１２は、表示３１０と閾値３１４とを比較する。比較器は、制御信号３１６を出力する。搬送波エネルギーの表示３１０は、瞬間的な受信搬送波エネルギーレベルの測定値である。音声信号３０６および制御信号は、デジタル信号プロセッサ（ＤＳＰ）３１８へと提供される。ＤＳＰは、サンプルアンドホールド要素３２０を実行するプロセスを含む。減衰が検出された場合、音声信号を保持またはフィルタリングする。【選択図】図３
2014220781.tif 000002
【特許請求の範囲】
【請求項１】
音声信号を受信する方法であって、
変調信号を受信することと、
前記変調信号を復調して音声信号を得ることと、
前記受信された変調信号の減衰を検出することと、
減衰が検出された場合、前記音声信号を保持またはフィルタリングすることと、
を含む前記方法。
【請求項２】
受信された変調信号の減衰を検出することが、前記受信された変調信号のエネルギーレベルを監視することを含む、請求項１に記載の方法。
【請求項３】
受信された変調信号の減衰を検出することが、前記エネルギーレベルが第１の閾値を下回ったかを決定することを含む、請求項２に記載の方法。
【請求項４】
前記エネルギーレベルが第２の閾値を上回るまで、前記音声信号を保持またはフィルタリングすることを含む、請求項３に記載の方法。
【請求項５】
第１の閾値が固定である、請求項３または４に記載の方法。
【請求項６】
第１の閾値が、所定の期間にわたる前記エネルギーレベルの平均に基づく、請求項３または４に記載の方法。
【請求項７】
前記エネルギーレベルを監視することが、前記エネルギーレベルの瞬間値を監視することを含む、請求項２〜６のうちいずれか一項に記載の方法。
【請求項８】
前記エネルギーレベルを監視することが、前記エネルギーレベルの平均値を短期間にわたって監視することを含む、。請求項２〜６のうちいずれか一項に記載の方法。
【請求項９】
前記音声信号を一定期間にわたって保持またはフィルタリングすることを含む、前記請求項１から８のうちいずれか一項に記載の方法。
【請求項１０】
前記受信された変調信号が、周波数変調されたＦＭ信号である、前記請求項１から８のうちいずれか一項に記載の方法。
【請求項１１】
前記ＦＭ信号が、ビデオ信号の副搬送波上に搬送される、請求項１０に記載の方法。
【請求項１２】
保持またはフィルタリングすることが、信号経路にフィルタを付加することを含む、前記請求項１から１１のうちいずれか一項に記載の方法。
【請求項１３】
信号経路にフィルタを付加することが、前記信号経路としてフィルタを含む経路を選択することを含む、請求項１２に記載の方法。
【請求項１４】
前記保持またはフィルタリングすることが、前記音声信号と、フィルタリングされた音声信号との間の遷移をある期間にわたって行うことを含む、前記請求項１から１３のうちいずれか一項に記載の方法。
【請求項１５】
前記請求項１から１４のうちいずれか一項に記載の方法を実行するための手段を含む装置。
【請求項１６】
前記装置が、ＦＭ音声信号復調器およびビデオ信号復調器のうち１つを含む、請求項１５に記載の装置。
【発明の詳細な説明】
【技術分野】
【０００１】
本願発明は、例えば、周波数変調を用いて変調された、音声信号の復調に関する。
【背景技術】
【０００２】
音声信号は、搬送波信号に載せて送信され得る。例えば、送信信号は、周波数変調（ＦＭ）信号であり得る。受信器において、信号が受信および復調されて、音声信号が抽出され、増幅器およびスピーカへと送られて、ユーザによる聴取に用いられる。音声信号は、例えば、ラジオ放送局の音声放送である場合もあるし、あるいは、例えば、ビデオ信号またはブロードキャストテレビ信号などの、別の信号の一部である場合もある。
【０００３】
多様な影響に起因して、送信信号にノイズが付加される場合もあれば、あるいは送信信号が減衰する場合もある。これらの影響に起因して受信器において搬送波信号が受信されなかった場合、あるいは搬送波信号が減衰された形態またはノイズが混ざった形態で受信された場合、復調された音声信号にノイズが混入したり、送信前の元々の音声信号中には存在していなかったものである、不愉快な音（アーテファクト）が含まれる場合がある。
【発明の概要】
【０００４】
第１の態様によれば、ある実施形態により、音声信号を受信する方法が提供され、その方法は、以下を含む：変調信号を受信することと、変調信号を復調して音声信号を得ることと、受信された変調信号の減衰を検出することと、減衰が検出された場合、音声信号を保持またはフィルタリングすること。
【０００５】
その結果、ある実施形態は、例えば、受信された周波数変調（ＦＭ）信号のような受信された信号を「クリーンアップ」することができ、これにより、搬送波信号およびよって音声信号の完全回復が不可能である期間において、復調された音声信号中の可聴ノイズおよび／またはアーテファクトを低減または排除することができる。
【０００６】
ある実施形態において、受信された変調信号の減衰を検出することは、受信された変調信号のエネルギーレベルを監視することを含む。受信された変調信号の減衰を検出することは、エネルギーレベルが第１の閾値を下回ったかを決定することを含み得る。これにより、特に送信信号の搬送波エネルギーレベルが概して搬送対象の音声信号から独立している変調スキームにおいて、例えば、ＦＭ信号のような信号について、搬送波信号が大幅にまたは完全に減衰したかを決定するための簡単かつ有効な方法が提供される。閾値は、変数であってもよいし、あるいは固定されていてもよい。変数である場合、閾値は、所定の期間にわたる平均エネルギーレベルに基づき得る。例えば、閾値は、平均エネルギーレベルの固定的比率であり得る。
【０００７】
音声信号の保持またはフィルタリングは、エネルギーレベルが第２の閾値（第２の閾値は、第１の閾値に等しくてもよいし、あるいは第１の閾値と異なっていてもよい）を上回るまで行われ得るか、または、一定期間（例えば、３００ｎｓまたは４００ｎｓ）にわたって行われ得る。
【０００８】
ある実施形態において、エネルギーレベルを監視することは、エネルギーレベルの瞬時値を監視することを含む。あるいは、エネルギーレベルを監視することは、エネルギーレベルの平均値を短期間にわたって監視することを含む。短期間は、変数閾値を用いる実施形態において例えば平均エネルギーレベルを変数閾値について計算する期間よりも短くしてもよい。
【０００９】
ある実施形態において、ＦＭ信号は、ビデオ信号の副搬送波に載せて搬送される。よって、本発明の実施形態により、ビデオ信号に付随する音声の向上をもたらし得る。
【００１０】
保持またはフィルタリングを行うことは、信号経路にフィルタを付加することを含み得る。例えば、信号経路にフィルタを付加することは、信号経路としてフィルタを含む経路を選択することを含んでもよい。これは、例えば、フィルタを含まない第１の経路からフィルタを含む第２の経路へ切り換えることを含み得る。フィルタは、用途に応じた出力信号に用いられることの多いフィルタよりもカットオフ周波数が低い（例えば５．５ｋＨｚ）ローパスフィルタであり得る。例えば、音声信号の場合、カットオフ周波数は、１５ｋＨｚであるかまたは音声用途に適した他の何らかの値であり得る。第１の経路は、信号経路間の切り換えに起因して出力音声のタイミングが著しく影響を受けず、顕著な遅延が発生することがないような、フィルタの遅延を整合させる整合遅延要素を含んでいてよい。
【００１１】
ある実施形態において、保持またはフィルタリングを行うことは、音声信号とフィルタリングされた音声信号との間の遷移をある期間にわたって行うことを含む。よって、これら２つの状態間において「厳格な（ｈａｒｄ）」遷移は存在しないため、さらなるノイズまたは可聴アーテファクトが出力音声信号中に混入することを回避することができる。
【００１２】
第２の態様によれば、ある実施形態によって、第１の態様を実行するための手段を含む装置が提供される。よって、例えば、第２の様態は、変調信号を受信する手段と、変調信号を復調して音声信号を得る手段と、受信された変調信号の減衰を検出する手段と、減衰が検出された場合、音声信号を保持またはフィルタリングする手段とを含んでよい。装置は、復調要素（例えば、ＦＭ音声信号復調またはビデオ信号復調）を含み得るか、または、例えばラジオ、テレビ、セットトップボックス、モバイルデバイス（例えば、ラップトップ、タブレットコンピュータまたは携帯電話）あるいは請求項に記載の装置を含むかまたは請求項に記載の方法を実行するように配置された他の任意のデバイスを含み得る。
【００１３】
以下、実施形態について添付図面を参照して説明する。
【図面の簡単な説明】
【００１４】
【図１】ＦＭ音声信号を含むビデオ信号の一例を示す。
【図２】変調されたＦＭ信号と、復調された音声信号との一例を示す。
【図３】ＦＭ音声信号復調の第１の実施形態の一例を示す。
【図４】ＦＭ復調要素の一例を示す。
【図５】ＦＭ音声信号復調器の実施形態における多様な信号の一例を示す。
【図６】図６は、ＦＭ音声信号復調器の第２の実施形態の一例を示す。
【図７】図７は、比較器の一例を示す。
【発明を実施するための形態】
【００１５】
いくつかの実施形態においては、復調されたＦＭ搬送波信号が部分的または全体的に減衰している場合、復調されたＦＭ音声信号を操作する方法および／または装置を提供する。より詳細には、搬送波信号の減衰が検出された場合、音声信号を保持するかまたはフィルタリングすることができる。その結果、搬送波信号の減衰および元の音声信号の低下した回復性に起因して復調された音声信号中に存在するあるノイズまたはアーテファクトを軽減または排除することができる。こ例えば、その結果得られた音声出力信号中の可聴ノイズおよびアーテファクトをこのように操作されていない復調された音声信号と比較して低減することにより、音声出力信号を向上させることができる。
【００１６】
図１は、テレビ信号の周波数領域表現１００を示す。テレビ信号は、当業者に周知のような１つ以上の受信器段を通じてベースバンドへと変換されている。テレビ信号は、２つの成分を含む（すなわち、ビデオ部分１０２および音声部分１０４）。ビデオ部分および音声部分は、視聴者に対して同時にリアルタイムで提示されることが意図されているが、後で視聴できるように例えば録画される場合もある。
【００１７】
音声部分１０４は、周波数Ｓの副搬送波を含み、周波数Ｓは、上記実施形態において、ビデオ信号と共に同時にユーザに提示されることが意図される音声信号によって変調されている。。音声部分１０４は、音声部分１０４  およびそれから抽出し得る音声信号ののノイズ、干渉または歪曲が発生し得る原因となる、１つ以上の影響を受け得る。。例えば、図１に、隣接周波数帯域内にある隣接テレビ信号１０６を示す。隣接周波数帯域は例えばフィルタリングによって除去できるが、隣接周波数帯域は音声部分１０４に近接して常駐する場合があり、その場合、音声部分１０４中にノイズ、干渉または歪曲が発生する。ノイズ、干渉または歪曲に起因して、音声信号を搬送する搬送波信号が送信周波数帯域内または受信器内において部分的または全体的に減衰する場合がある。
【００１８】
追加的にまたは代替的に、送信器の設計が不十分であるかまたは欠陥的である場合、音声部分１０４を有効に伝送するための帯域幅が不十分になる。図２は、受信された周波数変調（ＦＭ）信号２００の一例を示す。ＦＭ信号が高周波数である期間に対応する時間ｔ０と時間ｔ１との間において、信号は全体的に減衰する。このような事態は、送信器の帯域幅が不十分である場合に発生し得るが、ノイズ、干渉または歪曲に起因して発生する場合もある。受信されたＦＭ信号２００を受信器中において復調すると、音声信号２０２が生成される。時間ｔ０と時間ｔ１との間においては、音声信号をＦＭ信号２００から容易に抽出することができず、その結果受信器からノイズが発生する。このノイズは、聴取者に聞こえる場合がある。図２に示す例において、ノイズは、高振幅である音声信号の一部において発生する。このような高振幅である音声信号は、帯域幅が不十分であるかまたは欠陥を含む送信器に起因して発生し得る。そのため、復調された音声信号２０２中に存在するノイズは、音声信号の内容に依存し得る。
【００１９】
本発明の実施形態は、音声信号が信頼性を以て受信されない期間、例えば、搬送波信号が部分的または全体的に減衰している場合において、フィルタリングされたかまたは保持された音声信号を、復調された音声信号の代わりに提供することができることを認識する。このことが、復調された音声信号からのノイズまたは「アーテファクト」を部分的または全体的に軽減または排除する。
【００２０】
図３は、復調器３００の第１の実施形態を示す。復調器は、受信された中間周波数（ＩＦ）信号３０２を受信する。しかし、信号は代わりに例えば無線周波数（ＲＦ）信号を用いてもよい。受信されたＩＦ信号３０２は、ＦＭ復調器３０４へと提供される。ＦＭ復調器３０４は、信号を復調し、音声信号３０６を生成する。音声信号３０６は、上述したようなノイズまたはアーテファクトを含み得る。ＩＦ信号３０２は搬送波信号エネルギー検出器３０８にも提供される。搬送波信号エネルギー検出器３０８は、受信されたＩＦ信号３０２のエネルギーレベルを監視する。搬送波エネルギーの表示３１０が比較器３１２へと提供される。比較器３１２は、表示３１０と閾値３１４とを比較する。比較器は、制御信号３１６を出力する。いくつかの実施形態においては、搬送波エネルギーの表示３１０は、瞬間的な受信搬送波エネルギーレベルの測定値である。
【００２１】
音声信号３０６および制御信号３１６は、デジタル信号プロセッサ（ＤＳＰ）３１８へと提供される。ＤＳＰ３１８は、サンプルアンドホールド要素３２０を実行するプロセスを含む。比較器３１２からの制御信号３１６がアサートされるまで、サンプルアンドホールド要素３２０の出力３２２として音声信号３０６が提供される。これが発生すると、サンプルアンドホールド要素３２０の出力３２２は音声信号３０６の値に保持され、その直後に制御信号３１６がアサートされる。
【００２２】
いくつかの実施形態において、搬送波エネルギーが増加して閾値を上回るまで、出力３２２を保持する。他の実施形態において、出力３２２は所定の期間（例えば、一定期間）にわたって保持される。その後、サンプルアンドホールド要素３２０からの出力３２２として音声信号３０６が提供されることが再開される。出力３２２は、ＤＳＰ３１８内の他の要素またはプロセスにおいて用いてもよいし、あるいは、音声信号としてＤＳＰ３１８から出力してもよい。固定期間が用いられる場合、期間は例えば３００ｎｓまたは４００ｎｓであってもよいしあるいは他の任意の期間であってもよい。あるいは、出力３２２を保持しておく期間は、１つ以上の要素に基づいた変数であってもよい。
【００２３】
このようにして、復調された音声信号３０６中の部分的または部分的に減衰した搬送波信号に起因するノイズおよびアーテファクトが大幅に低減されるかあるいは完全に排除され得る。その結果、サンプルアンドホールド要素３２０からの音声信号３２２が向上する。
【００２４】
図３においてはＤＳＰ３１８内の要素のみしか図示していないが、ＤＳＰ中の任意の要素またはその一部を適切な場合にはアナログ領域内において実行してもよく、かつ／または、ＤＳＰ３１８内に図示していない任意の要素またはその一部を適切な場合にデジタル領域内において実行することができる（例えば、ＤＳＰ３１８内において実行することができる）。
【００２５】
図４は、ＦＭ復調器４００の一例を示す。ＦＭ復調器４００は、例えば図３に示すＦＭ復調器３０４であり得る。ＦＭ復調器から、入力ＩＦ信号３０２が第１のミキサー４０２および第２のミキサー４０４へと提供される。ノイズが存在しないと仮定した場合、ＩＦ信号３０２を以下の方程式によって記述することができる。
【数１】
2014220781.tif 000003
（１）
【００２６】
第１のミキサー４０２は、搬送波周波数においてＩＦ信号３０２をコサイン信号と混合し、結果をローパスフィルタ４０６へ送る。その結果得られた信号４０８は、以下のように記述することができる。
【数２】
2014220781.tif 000004
（２）
【００２７】
第２のミキサー４０４は、搬送波周波数においてＩＦ信号をサイン信号と混合し、結果をローパスフィルタ４１０へと送る。その結果得られた信号４１２は、以下のように記述することができる。
【数３】
2014220781.tif 000005
（３）
【００２８】
信号４０８および４１２は、分配器４１４へと送られる。分配器４１４は、信号４０８および４１２を分配する。
【数４】
2014220781.tif 000006
（４）
【００２９】
分配器の出力が逆正接関数４１６および微分器４１８へと送られると、出力３０６においてベースバンド音声信号ｍ（ｔ）が得られる。図４に示す要素のうち任意の要素を適切な場合にアナログ領域またはデジタル領域内において実行することができ、図３に示すＤＳＰ３１８に設けることができる。
【００３０】
図３に示す搬送波信号エネルギー検出器３０８によって監視されるエネルギーレベルは、複数の方法で計算することができる。一例において、信号Ｉ（ｔ）およびＱ（ｔ）を二乗および加算して、ＡＣ２を得る。これは、搬送波の瞬間エネルギーとみなすことができる（かまたはその比例部分とみなすことができる）。なぜならば、先行値は考慮していないからである。比較器３１２へ提供された閾値３１４は、例えば、受信された信号について予測される瞬間エネルギーレベルの固定的比率であり得る（例えば、０．２５Ａｅ２（Ａｅは、予測されるエネルギーレベルである）。
【００３１】
別の実施形態において、エネルギーレベルは、少数の瞬間エネルギーサンプルにわたって高速変化する平均であり得る。例えば、時間ｔにおけるエネルギーレベルＥは、以下のように計算することができる。
【数５】
2014220781.tif 000007
（５）
【００３２】
その結果、最後のＮ個のサンプルについて平均エネルギーレベルを得ることができ、測定されたエネルギーレベル中のノイズへの感度が低くなり得る。このようなノイズに起因して、サンプルアンドホールド要素３２０が不要にトリガされる場合がある。一例において、瞬間的な受信搬送波エネルギーレベルの毎秒あたりの測定を約６４，０００回実行する。Ｎの値は約２，０００であり得、これにより、瞬間エネルギーレベルの３２回の測定を少数のサンプルについて１秒毎に平均化する。しかし、６４，０００回、２，０００回および３２回の値はひとえに例示的なものであり、他の実施形態において、任意の適切な値が選択され得る。
【００３３】
図５は、音声信号を搬送する受信ＦＭ信号５００の一例を示す。また、信号Ｉ（ｔ）５０２およびＱ（ｔ）５０４も図示される。主に５０６として示される第１の期間においておよび主に５０８として示される第２の期間において、受信ＦＭ信号は減衰していることが理解される。信号５０２および５０４も同様に減衰している。
【００３４】
瞬間エネルギーレベル５１０も図示されている。期間５０６および５０８において、信号５１０のレベルが大幅に低下している。また、比較器３１６の出力を信号５１２として図示している。この出力は、サンプルアンドホールド要素３２０に対する制御信号である。期間５０６および５０８において、制御信号５１２は高くなっており、これは、瞬間エネルギーレベル５１０が閾値レベルを下回っていることを示す。
【００３５】
ＦＭ復調器３０４からの出力音声信号５１４を信号５１４として示す。期間５０６および５０８において、大量のノイズが音声信号中に見られる。しかし、サンプルアンドホールド要素からの出力５１６は、音声信号が期間５０６および５０８において保持されており、ノイズが抑制されていることを示す。期間５０６および５０８において、音声信号５１６は送信前の元々の音声信号と異なり得るが、その結果得られたノイズは、聴取者にとっては信号５１４中に存在するノイズよりもずっと目立たない。
【００３６】
信号５１６に対し、さらなるローパスフィルタリングを例えばカットオフ周波数１５ｋＨｚで行って、可聴ノイズまたはアーテファクトをさらに低減または排除することができる。このような可聴ノイズまたはアーテファクトは、保持されている信号および／または音声信号５１６中に存在する他の任意のノイズと関連する。その結果得られた音声信号５１８を示す。音声信号５１８は、ＦＭ復調器からの音声信号出力中に存在する意図しないノイズまたはアーテファクトを含まない。音声信号５１８は、記載の実施形態の復調器の出力であり得る。
【００３７】
図６は、復調器６００の別の実施形態を示す。復調器６００の要素のうち図３に示す復調器３００の要素と類似または同一のものは、同一の参照符号で示す。よって、復調器６００は、入力ＩＦ信号３０２を受信し、信号をＦＭ復調器３０４および搬送波信号エネルギー検出器３０８へと提供する。ＦＭ復調器３０４は、復調された音声信号３０６をＤＳＰ６０２へ提供する。搬送波信号エネルギー検出器３０８は、エネルギーレベル通知を比較器３１２へ提供する。比較器３１２は、エネルギーレベルと閾値３１４とを比較する。比較器３１２の出力は、制御信号３１６である。
【００３８】
ＤＳＰ６０２は、ローパスフィルタ６０４と、整合遅延要素６０６とを含む。整合遅延要素６０６は、フィルタ６０４を通じて信号遅延と整合される。音声信号３０６は、フィルタ６０４および整合遅延要素６０６へ提供される。フィルタ６０４および整合遅延要素６０６の出力はどちらとも、マルチプレクサ６０８へと提供される。マルチプレクサの出力は、音声信号６１０である。
【００３９】
マルチプレクサ６０８は、比較器３１２からの制御信号３１６によって制御される。通常動作において、マルチプレクサは、整合遅延要素６０６からの信号を出力音声信号６０８として出力する。受信されたＩＦ信号が部分的または全体的に減衰している場合制御信号３１２がアサートされ、マルチプレクサ６０８は、信号をローパスフィルタ６０４から出力する。その結果、ＩＦ信号３０２がより高くなった場合に受信される音声信号の一部に影響を与えるローパスフィルタ６０４を用いずに、受信されたＩＦ信号の減衰に起因してＦＭ復調器３０４からの音声信号３０６中に存在するノイズを部分的に、相当部分をまたは全部を出力音声信号６０８から除去することができる。その結果得られた音声信号は、図３に示す実施形態において生成された復調音声信号３０６および／は信号３２２よりも高品質であると考えられ得る。
【００４０】
ローパスフィルタ６０４のカットオフ周波数については、音声信号３０６からのノイズまたはアーテファクトを部分的にまたは全体的に除去するための適切な値が選択され得る。図２に示すシナリオにおいて、いくつかの場合において、特にＦＭ信号２００の減衰帯域幅のまたは送信器中の他のの欠如に起因するものである場合、時間ｔ０および時間ｔ１における音声信号の振幅はほぼ等しい。そのため、音声信号２０２の特定の周波数について、時間ｔ０と時間ｔ１との間の期間を概して一定にすることができる。その結果、時間ｔ０と時間ｔ１との間の典型的期間を特定の値、例えば、測定または予測に基づく平均期間または最大期間として選択することができる。ローパスフィルタ６０４のカットオフ周波数は、典型的期間に基づいて選択することができる。例えば、典型的期間が４００ｎｓとして選択された場合、ローパスフィルタ６０４のカットオフ周波数を２．５ｋＨｚとすることができる。あるいは、例えば、典型的期間が３００ｎｓである場合、カットオフ周波数は３．３３ｋＨｚであり得る。典型的期間および／またはカットオフ周波数を他の値にすることも想定される。
【００４１】
有効なことに、制御信号３１６は、フィルタ６０４が復調された音声信号の信号経路中にあるかを選択する。図示の実施形態において、フィルタ６０４は、デジタル領域内において実行される。そのため、例えば、制御信号３１６は、フィルタ機能またはフィルタ６０４を実行する他のソフトウェアモジュールへ音声信号が提供されるかを制御し得、あるいは、このような機能またはモジュールを起動させるかを制御する。いくつかの実施形態において、ローパスフィルタ６０４の実行様態は有限インパルス応答（ＦＩＲ）フィルタであるが、他の実施形態において無限インパルス応答（ＩＩＲ）フィルタであってもよい。
【００４２】
いくつかの実施形態において、フィルタ６０４は、検出された搬送波エネルギーが閾値を上回るまで、信号経路内に残留する（閾値は、制御信号３１６を起動させるための閾値と同じであってもよいし、同じでなくてもよい）。他の実施形態において、フィルタ６０４は、信号経路内に所定の時間にわたって残留する。この時間は、搬送波減衰の典型的期間について予測される時間長さ、測定値の平均または最大値、または他の何らかの基準に基づき得る。例えば、時間は、３００ｎｓまたは４００ｎｓと選択することができる。他の期間も想定される。
【００４３】
上記した実施形態においては、計算された搬送波エネルギーレベル（これは、瞬間値またはある期間にわたる平均値である）と、一定の閾値とを比較したが、受信されたＦＭ信号の予測されるエネルギーレベルが未知であるかまたは時間と共に変化し得る場合、このような比較は不適切であり得る。受信されたエネルギーレベルに影響を与え得る要素には、例えば、隣接周波数帯域からのノイズおよび／または受信器の移動が含まれるであろう。ある実施形態において、このような影響を考慮して、閾値を変数値、例えば、受信されたエネルギーレベルのある期間にわたる平均の比例部分とすることができ、このような比例部分は、ある実施形態において、上記の方程式（５）中の搬送波エネルギーレベルの計算に用いられる期間よりも長い場合がある。
【００４４】
図７は、図３および図６に示す比較器３１２として用いられ得る、可変閾値をイネーブルする比較器７００の一例を示す。。比較器７００は、毎秒あたり測定を６４，０００回行う速度において、測定瞬間エネルギーレベル３１０を例えば搬送波信号エネルギーレベル検出器３０８から受信する。エネルギーレベル３１０は、第１の利得要素７０２へと提供される。利得要素７０２は、信号を一定の値で乗算し、いくつかの実施形態において、この値は８である。その結果得られた値は、平均化要素７０４へと提供される。平均化要素７０４は、利得成分７０２からの値をある期間にわたって平均化する。一例において、平均化要素７０４は、約１秒に相当する最後の約６４，０００個の値にわたって値を平均化する。しかし、他の実施形態において、平均は、任意の数のサンプルおよび／または任意の選択された期間からとることができる。よって、いくつかの実施形態において、平均化要素から、８ｘ平均瞬間エネルギーレベル３１０の１つの値を毎秒あたり得ることができる。
【００４５】
平均値は、第２の利得要素７０６へ提供される。いくつかの実施形態において、例えば第２の利得要素７０６は、１／２５６の利得を提供、すなわち、平均値を２５６で除算する。その結果得られた値は、乗算器７０８へと提供される。乗算器７０８はまた、スケール値７１０を受信する。スケール値は固定値であってもよいしあるいは変数であってもよく、スケール値を用いて、瞬間エネルギーレベルの比較対象である閾値レベルを制御することができる。例えば、いくつかの実施形態において、スケール値が８である場合、乗算器７０８から出力される閾値値は、０．２５ｘ最後の６４，０００回の測定における平均瞬間エネルギーレベルである。この閾値は、平均エネルギーレベルと共に変化するが、スケール値７１０が一定である場合、平均エネルギーレベルの固定的比率に留まる。
【００４６】
乗算器７０８からの瞬間エネルギーレベル３１０および閾値は、これら２つの値を比較し、制御信号３１６を出力する比較器７１２へと提供される。。例えば、瞬間エネルギーレベル３１０が閾値を下回った場合、制御信号３１６が活性化される。
【００４７】
比較器７００は、アナログ領域またはデジタル領域または適切な場合はこれらの混合物内に実行され得る。このことは、例えば、図３、図４、図６および／または図７に示すものを含む、上記した実施形態のうち任意の実施形態における要素にもあてはまり得る。追加的または代替的に、本発明の実施形態は、モノラルＦＭ音声信号およびステレオＦＭ音声信号に適用することができる。上記した実施形態は、ビデオおよび音声双方を含む受信信号に関連するが、他の実施形態は、ビデオ信号および／または他の信号を含まずに送信される音声信号に関連し得る。
【００４８】
いくつかの実施形態において、利得要素７０２、利得要素７０６および／または乗算器７０８は任意選択であってもよいし、あるいは存在しなくてもよい。そのため、いくつかの実施形態において、スケール値７１０は任意選択であってもよいし、あるいは存在しなくてもよく、また、比較器７１２は、瞬間エネルギーレベル３１０と、平均エネルギーレベルのスケール値によって調節できない固定的比率とを比較し得る。
【図１】
2014220781.tif 000008
【図２】
2014220781.tif 000009
【図３】
2014220781.tif 000010
【図４】
2014220781.tif 000011
【図５】
2014220781.tif 000012
【図６】
2014220781.tif 000013
【図７】
2014220781.tif 000014